(57)【要約】【課題】確実に防水、防塵効果が得られるとともに、加熱調理器本体ユニットの保守、修理が容易な加熱調理器取付構造を提供する。【解決手段】加熱調理器本体ユニット３０のトッププレート３１の上面とキッチン天板１０の上面が同一平面になるようにする加熱調理器取付構造であって、加熱調理器本体ユニット３０の底面周縁部全域に亘って下方に向かって突出する突出部３２を形成するとともに、キッチン天板１０に加熱調理器本体ユニット３０が挿入可能な孔部１１と加熱調理器本体ユニット３０を下方から支持するための段差部１２とを設け、加熱調理器本体ユニット３０の外周面とキッチン天板１０の孔部１１の外周面との間に、加熱調理器本体ユニット３０の突出部３２とキッチン天板１０の段差部１２との間に圧設されるフランジ部２１を有する防水パッキン２０を挿入する。【選択図】図１
2018054184.tif 000002
【特許請求の範囲】
【請求項１】
加熱調理器本体ユニットのトッププレートの上面とキッチン天板の上面が同一平面になるように前記加熱調理器本体ユニットを前記キッチン天板に取り付ける加熱調理器取付構造であって、
前記加熱調理器本体ユニットの底面周縁部全域に亘って下方に向かって突出する突出部を形成するとともに、
前記キッチン天板に前記加熱調理器本体ユニットが挿入可能な孔部と前記加熱調理器本体ユニットを下方から支持するための段差部とを設け、
前記加熱調理器本体ユニットの外周面と前記キッチン天板の孔部の外周面との間に、前記加熱調理器本体ユニットの突出部と前記キッチン天板の段差部との間に圧設される全周面に亘って形成されたフランジ部を有する防水パッキンを挿入したことを特徴とする加熱調理器取付構造。
【請求項２】
前記防水パッキンの内周面上部には、前記加熱調理器本体ユニットのトッププレートに対応する凹部が前記防水パッキンの全周に亘って形成され、前記防水パッキンの外周面上部には、前記キッチン天板の孔部の内周面に当接する凸部が前記防水パッキンの全周に亘って形成されていることを特徴とする請求項１に記載の加熱調理器取付構造。
【請求項３】
前記防水パッキンのフランジ部には、前記加熱調理器本体ユニットの突出部が嵌合される溝部が前記防水パッキンの全周に亘って形成されていることを特徴とする請求項１又は２に記載の加熱調理器取付構造。
【請求項４】
前記加熱調理器本体ユニットの周縁部において前記キッチン天板を下方から支持することによって、前記防水パッキンのフランジ部を前記加熱調理器本体ユニットの突出部と前記キッチン天板の段差部との間で調節可能に圧設する複数の支持金具
を更に具備することを特徴とする請求項１乃至３のいずれか１項に記載の加熱調理器取付構造。
【発明の詳細な説明】
【技術分野】
【０００１】
本発明は、加熱調理器本体ユニットのトッププレートの上面とキッチン天板の上面が同一平面になるように加熱調理器本体ユニットをキッチン天板に取り付ける加熱調理器取付構造に関する。
【背景技術】
【０００２】
従来、加熱調理器本体ユニットのトッププレートの上面とキッチン天板の上面が同一平面になるように加熱調理器本体ユニットをキッチン天板に取り付ける加熱調理器取付構造としては、特許文献１に開示された「組込み型誘導加熱調理器」が知られている。
【０００３】
この特許文献１には、外郭ケースの中に誘導加熱装置と冷却装置と制御装置を配設してなる本体ユニットのトッププレートの下面にアンダーフレームを設けて、このアンダーフレームを本体ユニットの上方開口部を覆うように載置、固定することで、トッププレートの上面をキッチン天面と略同一平面となるようにしている。
【０００４】
しかし、上記特許文献１に開示された「組込み型誘導加熱調理器」においては、トッププレートとキッチン天面との間の隙間をシーリング剤で埋めて固定することにより防水、防塵を行っているので、以下に示すような問題があった。
【０００５】
１）トッププレートとキッチン天面との間の隙間をシーリング剤で埋めて固定する場合、シーリング剤の埋め込み作業にバラツキがあると、確実な防水、防塵効果が得られない場合があった。
【０００６】
２）トッププレートとキッチン天面との間の隙間をシーリング剤で埋めて固定する構成を取ると、本体ユニットの保守、修理を行う場合には、シーリング剤を剥がして本体ユニットを取り出さなければならず、また、再び本体ユニット１を取り付ける際には、シーリング剤の埋め込み作業を再度行わなければなら無いため非常に手間がかかった。
【先行技術文献】
【特許文献】
【０００７】
【特許文献１】特開２００９−２７７５２０号公報
【発明の概要】
【発明が解決しようとする課題】
【０００８】
そこで、本発明は、加熱調理器本体ユニットのトッププレートの上面とキッチン天板の上面が同一平面になるようにして、加熱調理器本体ユニットをキッチン天板に容易に取り付けることができ、かつ、確実に防水、防塵効果が得られるとともに、加熱調理器本体ユニットの保守、修理が容易な加熱調理器取付構造を提供することを目的とする。
【課題を解決するための手段】
【０００９】
上記の目的を達成するため、請求項１の発明は、加熱調理器本体ユニットのトッププレートの上面とキッチン天板の上面が同一平面になるように前記加熱調理器本体ユニットを前記キッチン天板に取り付ける加熱調理器取付構造であって、前記加熱調理器本体ユニットの底面周縁部全域に亘って下方に向かって突出する突出部を形成するとともに、前記キッチン天板に前記加熱調理器本体ユニットが挿入可能な孔部と前記加熱調理器本体ユニットを下方から支持するための段差部とを設け、前記加熱調理器本体ユニットの外周面と前記キッチン天板の孔部の外周面との間に、前記加熱調理器本体ユニットの突出部と前記キッチン天板の段差部との間に圧設される全周面に亘って形成されたフランジ部を有する防水パッキンを挿入したことを特徴とする。
【００１０】
請求項２の発明は、請求項１に記載の発明において、前記防水パッキンの内周面上部には、前記加熱調理器本体ユニットのトッププレートに対応する凹部が前記防水パッキンの全周に亘って形成され、前記防水パッキンの外周面上部には、前記キッチン天板の孔部の内周面に当接する凸部が前記防水パッキンの全周に亘って形成されていることを特徴とする。
【００１１】
請求項３の発明は、請求項１又は２に記載の発明において、前記防水パッキンのフランジ部には、前記加熱調理器本体ユニットの突出部が嵌合される溝部が前記防水パッキンの全周に亘って形成されていることを特徴とする。
【００１２】
請求項４の発明は、請求項１乃至３のいずれか１項に記載の発明において、前記加熱調理器本体ユニットの周縁部において前記キッチン天板を下方から支持することによって、前記防水パッキンのフランジ部を前記加熱調理器本体ユニットの突出部と前記キッチン天板の段差部との間で調節可能に圧設する複数の支持金具を更に具備することを特徴とする。
【発明の効果】
【００１３】
本発明は、加熱調理器本体ユニットのトッププレートの上面とキッチン天板の上面が同一平面になるように前記加熱調理器本体ユニットを前記キッチン天板に取り付ける加熱調理器取付構造であって、前記加熱調理器本体ユニットの底面周縁部全域に亘って下方に向かって突出する突出部を形成するとともに、前記キッチン天板に前記加熱調理器本体ユニットが挿入可能な孔部と前記加熱調理器本体ユニットを下方から支持するための段差部とを設け、前記加熱調理器本体ユニットの外周面と前記キッチン天板の孔部の外周面との間に、前記加熱調理器本体ユニットの突出部と前記キッチン天板の段差部との間に圧設される全周面に亘って形成されたフランジ部を有する防水パッキンを挿入して構成されるので、加熱調理器本体ユニットのトッププレートの上面とキッチン天板の上面が同一平面になるようにして、加熱調理器本体ユニットをキッチン天板に容易に取り付けることができ、かつ、確実に防水、防塵効果が得られるとともに、加熱調理器本体ユニットの保守、修理が容易になるという効果を奏する。
【図面の簡単な説明】
【００１４】
【図１】図１は、本発明に係る加熱調理器取付構造の一実施例を示す組み立て分解図である。
【図２】図２は、図１に示した加熱調理器取付構造で用いる加熱調理器の外観図である。
【図３】図３は、図１に示した加熱調理器取付構造により加熱調理器をキッチン天板に取り付けた状態を示す斜視図である。
【図４】図４は、図１に示した加熱調理器取付構造により加熱調理器をキッチン天板に取り付けた状態の上面図、Ａ−Ａ断面図、一部拡大側断面図である。
【図５】図５は、図１に示した加熱調理器取付構造で用いる防水パッキンの断面図である。
【発明を実施するための形態】
【００１５】
以下、本発明を実施するための実施例について、願書に添付した図面を参照しながら詳細に説明する。
【００１６】
図１は、本発明に係る加熱調理器取付構造の一実施例を示す組み立て分解図、図２は、図１に示した加熱調理器取付構造で用いる加熱調理器の外観図、図３は、図１に示した加熱調理器取付構造により加熱調理器をキッチン天板に取り付けた状態を示す斜視図である。
【００１７】
図１乃至図３において、本実施例の加熱調理器取付構造は、図１乃至図３に示すように、加熱調理器本体ユニット３０のトッププレート３１の上面とキッチン天板１０の上面が同一平面になるように、加熱調理器本体ユニット３０を防水パッキン２０を介在してキッチン天板１０に取り付ける。
【００１８】
ここで、加熱調理器本体ユニット３０は、例えば、誘導加熱調理器であって、その底面周縁部には、図１及び図２に示すように、加熱調理器本体ユニット３０の周縁部全域に亘って下方に向かって突出するこの加熱調理器取付構造のための突出部３２が植設されている。
【００１９】
また、加熱調理器本体ユニット３０の上面に取り付けられたトッププレート３１は、加熱調理器本体ユニット３０の外周部から僅かに外側に突出している。
【００２０】
キッチン天板１０には、加熱調理器本体ユニット３０を挿入するための孔部１１が穿設され、孔部１１の底面側には、加熱調理器本体ユニット３０を下方から支持するための段差部１２が設けられている。
【００２１】
防水パッキン２０は、加熱調理器本体ユニット３０とキッチン天板１０との間の防水、防塵を行うもので、その底面側には、加熱調理器本体ユニット３０の突出部３２とキッチン天板１０の段差部１２との間に圧設される全周面に亘って形成されたフランジ部２１が設けられている。この防水パッキン２０の詳細形状については、後に図４及び図５を参照して詳述する。
【００２２】
支持金具４０は、キッチン天板１０の孔部１１に加熱調理器本体ユニット３０を固定するためのもので、螺子止め等により取付部４１が加熱調理器本体ユニット３０の底面に固定され、調節螺子４３の締め付けによりキッチン天板１０を下方から支持する支持金具受４２が設けられている。
【００２３】
この支持金具４０により、防水パッキン２０のフランジ部２１は、加熱調理器本体ユニット３０の突出部３２とキッチン天板１０の段差部１２との間で調節可能に圧設される。
【００２４】
また、この支持金具４０には、調節螺子４３の締め付けにより、加熱調理器本体ユニット３０の外周縁部底面に当接するストッパ部材４４が設けられており、このストッパ部材４４は、調節螺子４３の過度な締め付けによる防水パッキン２０のフランジ部２１の過度な変形を防止している。この支持金具４０の詳細についても、後に図４及び図５を参照して詳述する。
【００２５】
図４（Ａ）は、図１に示した加熱調理器取付構造により加熱調理器をキッチン天板に取り付けた状態の上面図であり、図４（Ｂ）は、図４（Ａ）のＡ−Ａ断面図、図４（Ｃ）は、図４（Ｂ）の一部拡大側断面図である。
【００２６】
また、図５は、図１に示した加熱調理器取付構造で用いる防水パッキン２０の断面図である。
【００２７】
図４及び図５において、防水パッキン２０は、その底側に、防水パッキン２０の全周面に亘って形成されたフランジ部２１を有し、このフランジ部２１は、その周縁に立ち上がり部２２を形成することにより溝部が形成されている。この溝部に加熱調理器本体ユニット３０の突出部３２が嵌合される。この溝部の存在により、加熱調理器本体ユニット３０の位置決めを行うとともに、加熱調理器本体ユニット３０の突出部３２とキッチン天板１０の段差部１２との間における防水パッキン２０のフランジ部２１の圧設を確実にしている。
【００２８】
また、防水パッキン２０の内周面上部には、加熱調理器本体ユニット３０のトッププレート３１に対応する凹部２３が防水パッキン２０の全周に亘って形成され、防水パッキン２０の外周面上部には、キッチン天板１０の孔部１１の内周面に当接する凸部２４が防水パッキン２０の全周に亘って形成されている。
【００２９】
ここで、防水パッキン２０の凹部２３は、防水パッキン２０と加熱調理器本体ユニット３０との間からの水、塵の浸入を防止し、防水パッキン２０の凸部２４は、防水パッキン２０とキッチン天板１０との間からの水、塵の浸入を防止する。
【００３０】
支持金具４０は、その取付部４１が螺子止め等により加熱調理器本体ユニット３０の底面に固定され、調節螺子４３の先端に設けられた支持金具受４２は、調節螺子４３の締め付けにより、キッチン天板１０の裏面に当接する。
【００３１】
すなわち、支持金具４０の取付部４１は、加熱調理器本体ユニット３０の底面に固定され、支持金具４０の取付部４１の支持金具受４２は、調節螺子４３の締め付けにより、キッチン天板１０の裏面に当接するので、調節螺子４３の締め付け状態において、加熱調理器本体ユニット３０の突出部３２とキッチン天板１０の段差部１２との間の間隙を調整することができ、この調節螺子４３の締め付け状態により、加熱調理器本体ユニット３０の突出部３２とキッチン天板１０の段差部１２との間における防水パッキン２０のフランジ部２１の圧設を最適に調整することができる。
【００３２】
また、支持金具４０のストッパ部材４４は、調節螺子４３を締め付けにより、加熱調理器本体ユニット３０の周縁部底面に当接するので、このストッパ部材４４の存在により、調節螺子４３の締め付けに際しての防水パッキン２０のフランジ部２１の過度な変形、支持金具受４２の変形等を防止し、これにより、防水パッキン２０のフランジ部２１が、加熱調理器本体ユニット３０の突出部３２とキッチン天板１０の段差部１２との間において過度に変形したり、支持金具受４２が変形したりする不都合を防止している。
【００３３】
上記構成において、防水パッキン２０のフランジ部２１は、熱調理器本体ユニット３０の突出部３２とキッチン天板１０の段差部１２との間で適切にかつ部分的に圧設されるので、この圧設部分でキッチン天板１０側とキッチン内部側とは確実に封止される。
【００３４】
また、防水パッキン２０と加熱調理器本体ユニット３０との間は防水パッキン２０の凹部２３により防水、防塵され、防水パッキン２０とキッチン天板１０との間は、防水パッキン２０の凸部２４により防水、防塵されており、たとえ、防水パッキン２０と加熱調理器本体ユニット３０との間、防水パッキン２０とキッチン天板１０との間から水、塵等が浸入しても、これらは、防水パッキン２０のフランジ部２１の圧設部で確実に阻止されることになる。
【００３５】
また、上記実施例の加熱調理器取付構造によれば、加熱調理器本体ユニット３０のトッププレート３１とキッチン天板１０との間をシーリング剤等で埋める必要がなくなり、これに伴って、保守、修理時にシーリングを剥がしたり、保守、修理後に再シーリングする等の手間もなくなる。
【００３６】
なお、上記実施例では、支持金具４０を２箇所に設け、この支持金具４０により、加熱調理器本体ユニット３０をキッチン天板１０の孔部１１に固定するとともに、防水パッキン２０のフランジ部２１の圧設、調整を行うように構成したが、支持金具４０を３箇所、若しくはそれ以上の箇所に設けて、これら支持金具４０により、加熱調理器本体ユニット３０の固定、防水パッキン２０のフランジ部２１の圧設、調整を行うように構成してもよい。
【００３７】
本発明は上述の実施形態に限定されるものではなく、本発明の技術的思想の範囲内であれば、当業者の通常の創作能力によって多くの変形が可能である。
【符号の説明】
【００３８】
１０…キッチン天板
１１…孔部
１２…段差部
２０…防水パッキン
２１…フランジ部
２２…立ち上がり部
２３…凹部
２４…凸部
３０…加熱調理器本体ユニット
３１…トッププレート
３２…突出部
４０…支持金具
４１…取付部
４２…支持金具受
４３…調節螺子
４４…ストッパ部材
【図１】
2018054184.tif 000003
【図２】
2018054184.tif 000004
【図３】
2018054184.tif 000005
【図４】
2018054184.tif 000006
【図５】
2018054184.tif 000007